(57)【要約】【課題】次回撮影時の参考となり得る撮影方法に係る解析データを、使用者に通知可能な無人プリント端末装置を提供することを目的とする。【解決手段】本発明に係る無人プリント端末装置１は、画像データを被印画物にプリントする無人プリント端末装置１であって、画像データを解析し、当該解析により取得された撮影方法に係る解析データを、当該画像データとともに被印画物にプリントして、印画物として排出する。また、使用者により入力された撮影条件に係るデータ、例えば、デジタルカメラやレンズの型名、撮影場所に関するデータを、解析データとともに被印画物にプリントする。【選択図】図２
2009294898.tif 000002
【特許請求の範囲】
【請求項１】
画像データを被印画物にプリントする無人プリント端末装置であって、
前記画像データを解析し、当該解析により取得された撮影方法に係る解析データを、当該画像データとともに前記被印画物にプリント可能な、
無人プリント端末装置。
【請求項２】
外部から入力された撮影条件に係るデータを前記解析データとともに前記被印画物にプリント可能な、
請求項１に記載の無人プリント端末装置。
【請求項３】
表示部をさらに備え、
所定時間使用されていない場合に、所定の画像データを前記表示部に表示する、
請求項１または請求項２に記載の無人プリント端末装置。
【請求項４】
前記所定の画像データは、広告用の画像データ、および／または、閲覧用の画像データを含む、
請求項３に記載の無人プリント端末装置。
【請求項５】
前記解析データが取得された前記画像データを所定の通信先に送信する、
請求項１乃至請求項４のいずれかに記載の無人プリント端末装置。
【発明の詳細な説明】
【技術分野】
【０００１】
本発明は、無人プリント端末装置に関する発明である。
【背景技術】
【０００２】
一般的に店頭に設置される無人プリント端末装置は、例えば、デジタルカメラ付き携帯電話やデジタルカメラで撮影された画像データ、または、パソコンからメールを介して送信された画像データをプリントする。特許文献１には、サーバーに格納されているデジタルコンテンツをプリント可能なプリントシステムが記載されている。また、特許文献２には、カメラに関する使用者の熟練度を通知するカメラが記載されている。
【０００３】
従来の無人プリント端末装置では、画像データの色調、明るさを、画像ソフトまたは無人プリント端末装置の画質調整機能によって、自動調整または手動調整した後に、画質調整した画像データを被印画物にプリントする。こうして、プリントしようとしている画像データを最適な画質条件でプリントしている。
【０００４】
【特許文献１】特開２００２−３１８７５６号公報
【特許文献２】特開２００５−３５４６０６号公報
【発明の開示】
【発明が解決しようとする課題】
【０００５】
以上のように、画像データの画質を調整することができるが、その基となる画像データは、ある程度最適に撮影される必要がある。画像データを最適に撮影するためには、撮影条件やカメラに対する専門的な知識が必要である。しかしながら、従来の無人プリント端末装置では、例えば、使用者の予想よりも暗い写真が撮影された場合に、その原因を使用者に通知するものではない。つまり、画像データの撮影条件を評価し、その評価に基づいて、次回撮影時の参考となり得る情報を使用者に通知するものではない。そのため、無人プリント端末装置の使用者のうち、専門知識のない使用者は、撮影方法を改善することができず、満足できる写真を撮影することが困難であるという問題があった。
【０００６】
本発明は、上記のような問題点を解決するためになされたものであり、次回撮影時の参考となりうる撮影方法に係る解析データを、使用者に通知可能な無人プリント端末装置を提供することを目的とする。
【課題を解決するための手段】
【０００７】
本発明に係る無人プリント端末装置は、画像データを被印画物にプリントする無人プリント端末装置であって、前記画像データを解析し、当該解析により取得された撮影方法に係る解析データを、当該画像データとともに前記被印画物にプリント可能である。
【発明の効果】
【０００８】
本発明の無人プリント端末装置によれば、画像データを解析し、当該解析により取得された撮影方法に係る解析データを、画像データとともに被印画物にプリントする。そのため、使用者は、その解析データを参考にして、次回の撮影を改善することができる。
【発明を実施するための最良の形態】
【０００９】
＜実施の形態１＞
本実施の形態に係る無人プリント端末装置は、画像データを被印画物にプリントする無人プリント端末装置である。図１は、本実施の形態に係る無人プリント端末装置を備えるプリントシステムの概略図である。このプリントシステムは、本実施の形態に係る無人プリント端末装置１に加えて、サーバー２と、携帯電話３，２６と、パソコン４，２７とを備える。無人プリント端末装置１、携帯電話３，２６、パソコン４，２７は、サーバー２と接続され、サーバー２を介して相互に通信可能になっている。こうして、無人プリント端末装置１、サーバー２、携帯電話３，２６、パソコン４，２７は、ネットワーク５を形成している。
【００１０】
このうち、サーバー２は、電子メール機能と、写真の画像データを保存する機能とを備える。本実施の形態では、サーバー２が備える電子メール機能は、電子メールの送受信機能と、メールボックス機能と、電子メール管理機能とを備える。また、サーバー２は、広告データの管理機能と、パスワード発行機能と、課金機能とを備える。
【００１１】
携帯電話３、パソコン４は、使用者に用いられる携帯電話、パソコンである。携帯電話３は、電子メール機能と、カメラ機能とを備える。本実施の形態では、携帯電話３が備える電子メール機能は、画像データが添付された電子メールをサーバー２と送受信する機能を備え、携帯電話３が備えるカメラ機能は、デジタルカメラにより画像データを撮影して取得する機能を含む。携帯電話３は、これら機能に加え、画像データやパスワードを保存する本体メモリーと、外部メモリーとを備える。パソコン４は、電子メール機能を備える。本実施の形態では、パソコン４が備える電子メール機能は、画像データが添付された電子メールをサーバー２と送受信する機能を備える。なお、店舗の携帯電話２６およびパソコン２７も、上述の使用者の携帯電話３およびパソコン４と同様の機能を有する。店舗の携帯電話２６およびパソコン２７は、後述する実施の形態２で用いる。
【００１２】
デジタルカメラや、デジタルカメラ付き携帯電話で取得された画像データが、各種メモリーカード６に保存されており、無人プリント端末装置１は、その画像データをメモリーカード読込装置７から読取る。また、無人プリント端末装置１は、後述するネットワークインターフェース（以下、ネットワークＩ／Ｆと記す）を介して、サーバー２からの画像データを受信する。サーバー２からの画像データは、携帯電話３およびパソコン４から、サーバー２に予め送信された電子メールの画像データである。
【００１３】
この無人プリント端末装置１は、メモリーカード６およびサーバー２からの画像データや、タッチパネルモニター８において使用者により入力された各種情報を、タッチパネルモニター８において表示する。そして、使用者がタッチパネルモニター８を操作して、表示された画像データの中からプリントしたい画像データを選択すると、無人プリント端末装置１は、選択された画像データを被印画物にプリントする。無人プリント端末装置１は、プリントされた被印画物（以下、印画物９）を印画物取出し口扉１０において排出するとともに、レシートプリンター１１からレシート１２を発行する。課金機１３は、このサービスに対するサービス料を現金１４で徴収する。
【００１４】
図２は、このような動作を行う本実施の形態に係る無人プリント端末装置１の構成を示すブロック図である。図２に示すように、本実施の形態に係る無人プリント端末装置１は、メモリーカード読込装置７と、タッチパネルモニター８と、印画物取出し口扉１０と、レシートプリンター１１と、課金機１３と、ネットワークＩ／Ｆ１５と、入力コントローラー１６と、表示コントローラー１７と、ＣＰＵ（Central Processing Unit）１８と、システムメモリー１９と、ストレージ２０と、プリンター２１とを備える。点線に囲まれた表示コントローラー１７、および、ＣＰＵ１８、および、システムメモリー１９、および、ストレージ２０は、図示しないが、互いに接続されている。
【００１５】
メモリーカード読込装置７には、デジタルカメラや、デジタルカメラ付き携帯電話で撮影された画像データが保存されたメモリーカード６が挿入される。メモリーカード読込装置７は、挿入されたメモリーカード６の画像データを読取る。ネットワークＩ／Ｆ１５は、サーバー２との間で必要な情報を送受信するとともに、携帯電話３およびパソコン４からの画像データをサーバー２から受信する。
【００１６】
タッチパネルモニター８は、使用者の操作により入力された各種情報を検出する検出機能と、入力された各種情報や上述の画像データを表示する表示機能とを備える。タッチパネルモニター８の検出機能として用いられる入力コントローラー１６は、タッチパネルモニター８において使用者が操作して入力する各種情報を検出する。使用者によりタッチパネルモニター８に入力される情報は、使用者識別情報と、設置店識別情報と、プリントしたい画像データの選択情報と、プリント設定情報と、撮影条件に係るデータとを含む。
【００１７】
使用者識別情報は、例えば、使用者の携帯電話番号、メールアドレス、パスワードなどの情報が該当し、設置店識別情報は、例えば、無人プリント端末装置１が設置された店舗の電話番号、メールアドレスなどの情報が該当する。撮影条件に係るデータは、例えば、デジタルカメラおよびレンズの型名、撮影場所に関するデータが該当する。
【００１８】
表示コントローラー１７は、各種情報や上述の画像データをタッチパネルモニター８に表示する制御を行う。本実施の形態では、表示コントローラー１７は、タッチパネルモニター８において使用者が操作すべき手順を示す画像データや、各種メモリーカード６に保存されている画像データや、サーバー２から受信した画像データを、タッチパネルモニター８に表示する制御を行う。ＣＰＵ１８は、無人プリント端末装置１全体を制御する。システムメモリー１９は、ＲＯＭ（Read Only Memory）とＲＡＭ（Random Access Memory）とを備える。ＲＯＭには、ＣＰＵ１８の動作を規定するプログラムが書き込まれており、ＲＡＭは、ＣＰＵ１８の処理実行時に作業領域として用いられる。
【００１９】
ストレージ２０は、メモリーカード読込装置７から読取った画像データ、および、ネットワークＩ／Ｆ１５を介して受信したサーバー２からの画像データを、画像ファイル情報として格納する。また、このストレージ２０は、タッチパネルモニター８において入力された上述の使用者識別情報、設置店識別情報、画像データの選択情報、プリント設定情報、画像評価ソフトも格納する。課金機１３は、注文枚数に応じた現金１４を徴収する。本実施の形態では、課金機１３において、注文枚数に応じた現金１４が徴収されると、ＣＰＵ１８は、タッチパネルモニター８で入力された選択情報、および、プリント設定情報に基づいて、プリンター２１を制御する。プリンター２１は、ＣＰＵ１８の制御により、ストレージ２０に格納された画像データを被印画物にプリントする。
【００２０】
本実施の形態に係るＣＰＵ１８は、以上の動作に加え、ストレージ２０に格納された画像評価ソフトを用いて、ストレージ２０に格納された画像データを解析し、撮影方法に係る解析データを取得する。撮影方法に係る解析データは、例えば、カメラの露光条件や、フラッシュ条件に関するデータが該当する。プリンター２１は、ＣＰＵ１８の制御により、その解析データを、上述の画像データとともに、被印画物にプリントする制御を行う。
【００２１】
こうして、本実施の形態に係る無人プリント端末装置１は、ストレージ２０に格納された画像データを解析し、当該解析により取得された撮影方法に係る解析データと、当該画像データとともに被印画物にプリントする。また、本実施の形態に係る無人プリント端末装置１は、外部、例えば、使用者から入力された上述の撮影条件に係るデータを、その解析データとともに被印画物にプリントする。また、本実施の形態に係る無人プリント端末装置１は、使用者がタッチパネルモニター８において所定の入力を行った場合に、解析データが取得された画像データを、所定の通信先、例えば、プロの写真家にネットワークＩ／Ｆ１５を介して送信する。プリントされた被印画物は、印画物９として印画物取出し口扉１０に排出され、使用者により回収される。レシートプリンター１１は、ＣＰＵ１８からの制御により、レシート１２に、プリント枚数、利用料金をプリントする。
【００２２】
次に、図３および図４を用いて、本実施の形態に係るプリントシステムの動作を説明する。まず、図３に係る動作について説明する。図３は、サーバー２、携帯電話３、パソコン４の動作を示す。まず、サーバー２は、画像データの送信を許可するパスワードを、使用者の携帯電話３およびパソコン４に発行する（ステップＳ１１）。パスワードを受けた使用者は、携帯電話３からサーバー２に、電子メールに添付した画像データを送信することが可能となる（ステップＳ１２）。同様に、パスワードを受けた使用者は、パソコン４からサーバー２に、電子メールに添付した画像データを送信することが可能となる（ステップＳ１３）。サーバー２は、携帯電話３およびパソコン４から送信された画像データを保管する（ステップＳ１４）。
【００２３】
次に、図４に係る動作について説明する。図４は、使用者が操作したときの無人プリント端末装置１の動作を示す。無人プリント端末装置１は、メモリーカード読込装置７により、各種メモリーカード６から画像データを読込む（ステップＳ２１）。また、無人プリント端末装置１は、ネットワークＩ／Ｆ１５を介して、サーバー２からステップＳ１４で保管した画像データを読込む（ステップＳ２２）。次に、無人プリント端末装置１は、ステップＳ２１およびステップＳ２２で読込んだ画像データを、タッチパネルモニター８に表示する。タッチパネルモニター８に表示された画像データのうち、プリントされる画像データが、使用者により選択される（ステップＳ２３）。
【００２４】
使用者により、撮影方法に係る解析データの取得する命令がタッチパネルモニター８に入力されない場合には、ステップＳ２７に進む。使用者により、撮影方法に係る解析データの取得する命令が入力された場合には、解析の対象となる画像データが選択される（ステップＳ２４）。その後、無人プリント端末装置１は、ＣＰＵ１８により、ステップＳ２４で選択された画像データを解析し（ステップＳ２５）、当該解析により取得された解析データと、当該画像データとを合成する（ステップＳ２６）。図５は、ステップＳ２６で合成したデータを、タッチパネルモニター８において表示するときの表示形態を示す図である。
【００２５】
図５（ａ）は、一の画像データ２２とその解析データ２３とを、一枚の被印画物にプリントする場合の表示形態を示す。図５（ｂ）は、複数の画像データ２２とそれらの解析データ２３とを両方縮小して、一枚の被印画物にプリントする場合の表示形態を示す。図５（ａ），図５（ｂ）のいずれの表示形態においても、本実施の形態では、被印画物の上部に画像データ２２が配置され、被印画物の下部に解析データ２３が配置される。本実施の形態に係る無人プリント端末装置１は、図５（ａ）の形態、または、図５（ｂ）の形態のいずれかを、一枚の被印画物にプリント可能になっている。なお、図示しないが、本実施の形態に係る無人プリント端末装置１は、外部から入力された撮影条件に係るデータ、例えば、使用者に入力された撮影場所に関するデータを、その解析データ２３とともにプリント可能になっている。
【００２６】
次に、使用者は、タッチパネルモニター８に表示された複数の画像データ２２から、プリントしたい画像データ２２を選択し、その画像データ２２のプリントサイズ、プリント枚数を、タッチパネルモニター８に入力する（ステップＳ２７）。無人プリント端末装置１は、ステップＳ２７の入力に応じた課金金額をタッチパネルモニター８に表示する（ステップＳ２８）。タッチパネルモニター８に表示された課金金額分の現金１４が、使用者により課金機１３に投入されると（ステップＳ２９）、無人プリント端末装置１は、ステップＳ２７で選択された画像データ２２と解析データ２３とを、プリンター２１により被印画物にプリントする（ステップＳ３０）。
【００２７】
それと並行して、レシートプリンター１１は、レシート１２に、プリント枚数、課金金額（利用料金）、パスワードをプリントする。その後、ステップＳ３０のプリントが終了し、プリントされた被印画物が、印画物９として印画物取出し口扉１０に排出される（ステップＳ３１）。排出された印画物９は、使用者により取り出される（ステップＳ３２）。使用者は、印画物９の解析データを通知されるだけでは、次回の撮影時に満足できる写真を撮影できないと思った場合に、タッチパネルモニター８を操作して所定の入力を行う。この場合、無人プリント端末装置１は、解析データが取得された画像データを、ネットワークＩ／Ｆ１５を介して、所定の通信先、例えば、プロの写真家に送信する。
【００２８】
以上のような本実施の形態に係る無人プリント端末装置によれば、画像データ２２を解析し、当該解析により取得された撮影方法に係る解析データ２３を、画像データ２２とともに被印画物にプリントする。そのため、使用者は、その解析データ２３を参考にして、次回の撮影を改善することができる。
【００２９】
また、本実施の形態に係る無人プリント端末装置１は、外部から入力された撮影条件に係るデータ、例えば、使用者に入力された上述のデジタルカメラおよびレンズの型名、撮影場所に関するデータを、その解析データ２３とともに被印画物にプリントする。これにより、使用者は、上述の解析データ２３とともに、これらデータを参考にすることで、次回の撮影をより改善することができる。
【００３０】
また、本実施の形態に係る無人プリント端末装置１は、解析データが取得された画像データを所定の通信先、例えば、プロの写真家に送信する。これにより、プロの写真家は、無人プリント端末装置１を利用して、写真教室を開催したり、使用者の質問に答えたりすることができる。
【００３１】
＜実施の形態２＞
従来の無人プリント端末装置では、使用者に使用されていない時間があり、有効に活用されていない場合があるという問題があった。そこで、本実施の形態では、使用者に使用されていない時間に、広告用の画像データや、閲覧用の画像データを表示して、その時間を有効に活用することが可能な無人プリント端末装置について説明する。本実施の形態に係る無人プリント端末装置の構成を示すブロック図は、図２に示した実施の形態１に係る無人プリント端末装置１の構成を示すブロック図と同じである。以下、本実施の形態に係る無人プリント端末装置の構成のうち、実施の形態１と同一の構成については、同一の符号を付すものとし、新たに説明しない構成については、実施の形態１と同じであるものとする。
【００３２】
本実施の形態に係る無人プリント端末装置１は、表示部であるタッチパネルモニター８を備える。本実施の形態に係る無人プリント端末装置１は、所定時間使用されていない場合に、所定の画像データをタッチパネルモニター８に表示する。本実施の形態では、所定の画像データは、サーバー２、または、ストレージ２０に予め格納された広告用の画像データ、および、閲覧用の画像データである。
【００３３】
次に、図６および図７は、本実施の形態に係るプリントシステムの動作を説明するフローチャートである。まず、図６に係る動作について説明する。図６は、無人プリント端末装置１、サーバー２、使用者の携帯電話３およびパソコン４、店舗の携帯電話２６およびパソコン２７の動作を示す。サーバー２は、画像データの送信を許可するパスワードを、使用者の携帯電話３およびパソコン４に発行する（ステップＳ４１）。このパスワードは、例えば、無人プリント端末装置１を設定している店のポイント優待会員や、入会金を支払った使用者に、展示会への投稿会員の資格として与えられる。
【００３４】
パスワードを与えられた使用者は、閲覧用の画像データを、携帯電話３からサーバー２に送信して投稿することが可能となる（ステップＳ４２）。同様に、パスワードを受けた使用者は、閲覧用の画像データを、パソコン４からサーバー２に送信して投稿することが可能となる（ステップＳ４３）。一方、広告用の画像データは、店舗の携帯電話２６およびパソコン２７からサーバー２に送信される（ステップＳ４４）。
【００３５】
以上の動作とは別に、無人プリント端末装置１は、各種メモリーカード６から閲覧用の画像データを読込む（ステップＳ４５）。なお、ステップＳ４５の読込みを行うときには、使用者に、上述のパスワードの入力を求める。そのパスワードが入力された後、無人プリント端末装置１は、図８に示すようなサービス選択画面をタッチパネルモニター８に表示する。本実施の形態では、サービス選択画面は、展覧会に投稿するためのボタン２８と、展覧会を閲覧するためのボタン２９と、写真を購入するためのボタン３０とを有する。
【００３６】
使用者により、タッチパネルモニター８のボタン２８が押されると、無人プリント端末装置１は、各種メモリーカード６から読込まれた閲覧用の画像データを、タッチパネルモニター８において表示する。タッチパネルモニター８に表示された画像データのうち、展覧会で閲覧される閲覧用の画像データが、使用者により選択される（ステップＳ４６）と、無人プリント端末装置１のＣＰＵ１８は、選択された閲覧用の画像データをサーバー２に送信する。
【００３７】
サーバー２は、使用者の携帯電話３およびパソコン４から送信して投稿された閲覧用の画像データ、および、無人プリント端末装置１から送信して投稿された閲覧用の画像データを、閲覧用のフォルダーに格納する（ステップＳ４７）。それとともに、店舗の携帯電話２６およびパソコン２７から送信された広告用の画像データを、広告用のフォルダーに格納する。そして、サーバー２は、無人プリント端末装置１から、後述するステータスを受信すると、サーバー２は、格納した閲覧用の画像データ、および、広告用の画像データを、無人プリント端末装置１に送信する（ステップＳ４８）。
【００３８】
次に、図７を用いて、無人プリント端末装置１の動作について説明する。無人プリント端末装置１は、所定時間使用されていない場合に、ＣＰＵ１８の制御により、ネットワークＩ／Ｆ１５を介して、サーバー２に、無人プリント端末装置１が使用されていないステータスを送信する（ステップＳ５１）。そうすると、ステップＳ４８により、サーバー２は、閲覧用の画像データ、および、広告用の画像データを送信する。無人プリント端末装置１は、ネットワークＩ／Ｆ１５を介して、サーバー２からの閲覧用の画像データ、および、広告用の画像データをダウンロードし、ストレージ２０に格納する（ステップＳ５２）。
【００３９】
そして、無人プリント端末装置１は、ストレージ２０に格納した閲覧用の画像データ、および、広告用の画像データをタッチパネルモニター８に自動的に順次に表示する（ステップＳ５３）。図９は、本実施の形態に係る無人プリント端末装置１が、閲覧用の画像データをタッチパネルモニター８に表示したときの表示の一例を示す図である。本実施の形態では、図に示すように、８つの閲覧用の画像データ３１の画像と、それぞれに対応する解析データ３２とを順次に表示するとともに、ボタン３３を表示する。なお、この図では、簡単のため、上段の左側の３つにのみ画像データ３１の画像が示されているが、他の部分にも同様に、画像データ３１の画像が表示される。
【００４０】
使用者により、画像データ３１から一つの画像データ３１が選択された状態で、ボタン３３が押されると、タッチパネルモニター８は、その選択された画像データ３１を拡大して表示する。なお、図示しないが、無人プリント端末装置１は、広告用の画像データを表示したときには、図９と同様に、複数の広告用の画像データがタッチパネルモニター８に表示され、使用者に広告用の画像データが選択されると、その広告内容を表示する。
【００４１】
次に、閲覧用の画像データ３１がタッチパネルモニター８で表示されている場合に、使用者が、購入したい画像データ３１を選択すると、その画像データ３１のプリントサイズ、プリント枚数を、タッチパネルモニター８に入力する（ステップＳ５４）。無人プリント端末装置１は、ステップＳ５４の入力に応じた課金金額をタッチパネルモニター８に表示する（ステップＳ５５）。タッチパネルモニター８に表示された課金金額分の現金１４が、使用者により課金機１３に投入されると（ステップＳ５６）、無人プリント端末装置１は、ステップＳ５４で選択された画像データ３１と解析データ３２とを、プリンター２１により被印画物にプリントする（ステップＳ５７）。
【００４２】
それと並行して、レシートプリンター１１は、レシート１２に、プリント枚数、課金金額（利用料金）、パスワードをプリントする。その後、ステップＳ５７のプリントが終了し、プリントされた被印画物が、印画物９として印画物取出し口扉１０に排出される（ステップＳ５８）。無人プリント端末装置１は、その後、ステップＳ５１に戻る。排出された印画物９は、使用者により取り出される（ステップＳ５９）。
【００４３】
以上のような本実施の形態に係る無人プリント端末装置によれば、所定時間使用されていない場合に、広告用の画像データ、および、閲覧用の画像データをタッチパネルモニター８に表示するため、その時間を有効に活用することができる。
【００４４】
なお、本実施の形態では、無人プリント端末装置１は、ストレージ２０に格納した閲覧用の画像データ３１を、タッチパネルモニター８に自動的に順次に表示するものとして説明した。しかし、これに限ったものではなく、図８に示したサービス選択画面を待ち受け画面として用い、仮に、使用者により、ボタン２９が押された場合に、上述のステップＳ５３と同様に、図９に示した画面を表示するものであってもよい。また、仮に、使用者により、ボタン３０が押された場合に、上述のステップＳ５３と同様に、図９に示した画面を表示し、上述のステップＳ５４〜Ｓ５９と同様に動作するものであってもよい。
【図面の簡単な説明】
【００４５】
【図１】実施の形態１に係る無人プリント端末装置を備えるプリントシステムを示す図である。
【図２】実施の形態１に係る無人プリント端末装置の構成を示すブロック図である。
【図３】実施の形態１に係る無人プリント端末装置の動作を示すフローチャートである。
【図４】実施の形態１に係る無人プリント端末装置の動作を示すフローチャートである。
【図５】実施の形態１に係る無人プリント端末装置の動作を示す図である。
【図６】実施の形態２に係る無人プリント端末装置の動作を示すフローチャートである。
【図７】実施の形態２に係る無人プリント端末装置の動作を示すフローチャートである。
【図８】実施の形態２に係る無人プリント端末装置の動作を示す図である。
【図９】実施の形態２に係る無人プリント端末装置の動作を示す図である。
【符号の説明】
【００４６】
１  無人プリント端末装置、２  サーバー、３，２６  携帯電話、４，２７  パソコン、５  ネットワーク、６  メモリーカード、７  メモリーカード読込装置、８  タッチパネルモニター、９  印画物、１０  印画物取出し口扉、１１  レシートプリンター、１２  レシート、１３  課金機、１４  現金、１５  ネットワークＩ／Ｆ、１６  入力コントローラー、１７  表示コントローラー、１８  ＣＰＵ、１９  システムメモリー、２０  ストレージ、２１  プリンター、２２，３１  画像データ、２３，３２  解析データ、２８，２９，３０，３３  ボタン。
【図１】
2009294898.tif 000003
【図２】
2009294898.tif 000004
【図３】
2009294898.tif 000005
【図４】
2009294898.tif 000006
【図５】
2009294898.tif 000007
【図６】
2009294898.tif 000008
【図７】
2009294898.tif 000009
【図８】
2009294898.tif 000010
【図９】
2009294898.tif 000011